(57)【要約】【課題】表示部の明度差がセグメント電極の配列方向において目立つことを防止して、良好な表示品位を得ることのできる表示パネルを提供する。【解決手段】一方の透明基板に配列された配線パターンからなる複数のコモン電極と他方の透明基板に配列された配線パターンからなる複数のセグメント電極との交差部を画素とする表示部を形成し、表示部の両端部に配列されたセグメント電極２の側方外部のうちコモン電極と対向しない部位に位置する非表示部には、セグメント電極２の最寄りの配列端部から配列中央方向へ順に配列された複数本の各セグメント電極２の支流を引き廻した配線パターンからなる間隙調整用のダミー電極３を形成する。【選択図】      図１
2007298726.tif 000002
【特許請求の範囲】
【請求項１】
一方の透明基板に配列された配線パターンからなる複数のコモン電極と他方の透明基板に配列された配線パターンからなる複数のセグメント電極との交差部を画素とする表示部を有し、前記表示部の両端部に配列されたセグメント電極の側方外部のうち前記コモン電極と対向しない部位に位置する非表示部に間隙調整用のダミー電極が形成されている表示パネルであって、前記ダミー電極は、セグメント電極の最寄りの配列端部から配列中央方向へ順に配列された複数本の各セグメント電極の支流として引き回された配線パターンからなることを特徴とする表示パネル。
【請求項２】
前記ダミー電極の配線パターンは、ダミー電極が形成されたセグメント電極の抵抗負荷が、ダミー電極が形成されないセグメント電極の平均抵抗負荷を１とした場合における１．５以下となるようにして形成されている請求項１に記載の表示パネル。
【発明の詳細な説明】
【技術分野】
【０００１】
本発明は、一対の透明基板間に配線電極とダミー電極が設けられた表示パネルに関する。
【背景技術】
【０００２】
電子機器に広く用いられる液晶表示パネルは、例えば、配線電極としての複数のコモン電極と複数のセグメント電極が、一対の透明基板の対向面にそれぞれストライプ状に形成されており、その交差部が表示画素となって表示部を構成している。つまり、ｍ本のコモン電極とｎ本のセグメント電極により、画素数ｍ×ｎの表示部が形成されている。
【０００３】
また、各コモン電極と各セグメント電極の信号入力側端部は表示部の外側の非表示部を引き回され、前記透明基板の端縁に形成された端子接続部に引き出される。そして、前記端子接続部において前記各コモン電極および各セグメント電極を駆動するためのＩＣドライバと接続され、このＩＣドライバを介して、可撓配線基板などの外部接続基板に接続されている。そして、前記各表示画素のオンオフは、前記ＩＣドライバからそれぞれ各コモン電極および各セグメント電極に印加される信号（駆動波形）によって制御されて、デューティ駆動によりフルドット表示を行なうようになされている（例えば、特許文献１）。
【０００４】
また、液晶表示パネルは、対向配置させた一対の透明基板間のギャップ調整等を目的として非表示部にダミー電極を形成することがなされている（例えば、特許文献２）。前記ダミー電極は、表示不良の原因となる電荷の蓄積を防止するべく、セグメント電極と電気的に導通されて形成されているのが一般的である。例えば、浮島状に形成されたダミー電極とセグメント電極とを、導電材ビーズを含むシール材などの導電部材を介して電気的に導通させたり、セグメント電極を枝分れさせた支流にランド状のダミー電極を一体形成している。具体的には、前者のダミー電極としては、表示部に配列された各セグメント電極の先端部（反ドライバ側）の延長上となる領域に形成された浮島状のダミー電極を例示することができる。また、後者のダミー電極としては、それ以外の非表示部、すなわち、表示部に配列された複数のセグメント電極のうち非表示部の両端部に位置するセグメント電極よりも側方外部であってコモン電極と対向しない部位に形成されたダミー電極を例示することができる。
【０００５】
【特許文献１】特開２０００−２９８４４６号公報
【特許文献２】特開２００２−２０２５２１号公報
【発明の開示】
【発明が解決しようとする課題】
【０００６】
そして、前述のように、ダミー電極をセグメント電極から枝分かれさせた支流に一体形成する場合、透明基板上の配線パターンの形成容易性から、両端部に配列されたセグメント電極のみが利用されていた。ところが、このような配線パターンとすると、前記ダミー電極の配設面積によっては、この端部のセグメント電極の抵抗が他のセグメント電極よりも極端に大きくなってしまい、同ライン上に並ぶ画素の表示品位の劣化（色薄れ：明度差）が目立ってしまうという問題が生じていた。
【０００７】
本発明はこれらの点に鑑み、表示部の明度差がセグメント電極の配列方向において目立つことを防止して、良好な表示品位を得ることのできる表示パネルを提供することを目的とする。
【課題を解決するための手段】
【０００８】
前述した目的を達成する本発明の表示パネルの第１の特徴は、一方の透明基板に配列された配線パターンからなる複数のコモン電極と他方の透明基板に配列された配線パターンからなる複数のセグメント電極との交差部を画素とする表示部を有し、前記表示部の両端部に配列されたセグメント電極の側方外部のうち前記コモン電極と対向しない部位に位置する非表示部に間隙調整用のダミー電極が形成されている表示パネルであって、前記ダミー電極は、セグメント電極の最寄りの配列端部から配列中央方向へ順に配列された複数本の各セグメント電極の支流として引き回された配線パターンからなる点にある。
【０００９】
このような特徴を有する本発明の表示パネルによれば、従来において、前記配列端部のセグメント電極にのみかかっていた抵抗負荷を、複数本のセグメント電極に分散させることができるので、特定の１本のラインの表示品位が他のラインの表示品位に比べて著しく劣化し、目立ってしまう不具合を回避することができる。
【００１０】
また、本発明の第２の特徴は、前記ダミー電極の配線パターンは、ダミー電極が形成されたセグメント電極の抵抗負荷が、ダミー電極が形成されないセグメント電極の平均抵抗負荷を１とした場合における１．５以下となるようにして形成されている点にある。
【００１１】
このような特徴を有する本発明の表示パネルによれば、ダミー電極が形成されたセグメント電極と、ダミー電極が形成されないセグメント電極との表示品位の差を、通常の使用状態に於いては視認されない程度に抑えることができる。
【発明の効果】
【００１２】
このように、本発明の表示パネルによれば、表示部の明度差がセグメント電極の配列方向において目立つことを防止して、良好な表示品位を得ることができるという優れた効果を奏することができる。
【発明を実施するための最良の形態】
【００１３】
本実施形態において用いられる表示パネルは、複数のコモン電極と、複数のセグメント電極がマトリクス状に形成され、各電極の交差部が画素となって表示部を構成するパッシブ駆動方式の液晶表示パネルである。
【００１４】
この液晶表示パネルについてさらに説明すると、前記コモン電極が形成された透明基板と、セグメント電極が形成された透明基板とを、それぞれの電極の形成面を対向させ、表示部の領域を囲うようにして配設されたシール材によって一体に貼り合わせ、これら各透明基板間に液晶を注入密封した後、各透明基板の外側部分に偏光板を貼着することにより構成されている。そして、この液晶表示パネルを構成するいずれか一方の透明基板は、他方の透明基板に対して大きく形成されており、この他方の透明基板の突出部分は、前記ＩＣドライバと各コモン電極および各セグメント電極に接続される引き廻し配線が配線される端子接続部とされている。
【００１５】
図１（１）は、本発明の表示パネル１の一実施形態における、一端部（左側）に位置するセグメント電極２の側方外部のうちコモン電極と対向しない部位の非表示部に形成されたダミー電極の配線パターンを模式的に示す概略平面図であり、図１（２）は、他端部（右側）に位置するセグメント電極２の側方外部のうちコモン電極と対向しない非表示部に形成されたダミー電極の配線パターンを模式的に示す概略平面図である。
【００１６】
図中、コモン電極の形成領域（非表示部における引廻し配線の形成領域を含む）を破線で示し、表示部と非表示部の境界を一点鎖線で示す。また、網掛け部分はＩＣドライバである。
【００１７】
図１に示すように、本実施形態の表示パネル１の、配列方向両端部に位置するセグメント電極２の側方外部のうちコモン電極と対向しない部位の非表示部に形成されたダミー電極３（以下、単にダミー電極３という）はそれぞれ、セグメント電極２の最寄りの配列端部から配列中央方向へ順に配列された複数本の各セグメント電極２の支流に形成されている。そして、前記各ダミー電極３の配線パターンは、ダミー電極３が形成されたセグメント電極２の抵抗負荷が、ダミー電極３が形成されないセグメント電極２の平均抵抗負荷を「１」とした場合における「１．５」以下となるようにして形成されている。
【００１８】
具体的には、図１（１）に示す、本実施形態の表示パネル１に形成された、左端のセグメント電極２（Ｌ１）の側方外部のうちコモン電極と対向しない部位には、３箇所にダミー電極３が形成されている。
【００１９】
そして、図中Ａで示す１つのダミー電極３は、配列の左側端部に位置する、図中Ｌ１で示すセグメント電極２から引き出された支流に形成されている。また、図中Ｂで示すダミー電極３は、図中Ｌ１で示すセグメント電極２の隣、すなわち、左端から２本目に配列された、図中Ｌ２で示すセグメント電極２から引き出された支流に形成されており、さらに図中Ｃで示すダミー電極３は、図中Ｌ２で示すセグメント電極２の隣、すなわち、左端から３本目に配列された、図中Ｌ３で示すセグメント電極２から引き出された支流に形成されている。
【００２０】
また、図１（２）に示す、本実施形態の表示パネル１に形成された、図中Ｒ１で示す、右端のセグメント電極２の側方外部のうちコモン電極と対向しない部位には、５箇所にダミー電極３が形成されている。
【００２１】
そして、図中Ｄで示すダミー電極３は、配列の右側端部に位置する、図中Ｒ１で示すセグメント電極２から引き出された支流に形成されている。また、図中Ｅで示す別のダミー電極３は、図中Ｒ１で示すセグメント電極２の隣、すなわち、右端から２本目に配列された、図中Ｒ２で示すセグメント電極２から引き出された支流に形成されており、同様に、図中Ｆで示すダミー電極３は、右端から３本目に配列された、図中Ｒ３で示すセグメント電極２から引き出された支流に、図中Ｇで示すダミー電極３は、右端から４本目に配列された、図中Ｒ４で示すセグメント電極２から引き出された支流に、図中Ｈで示すダミー電極３は、右端から５本目に配列された、図中Ｒ５で示すセグメント電極２から引き出された支流に形成されている。
【００２２】
そして、各セグメント電極２とこれに形成されたダミー電極３とからなる配線パターンはそれぞれ、例えば、図中Ｌ４やＲ６で示すような、ダミー電極３が形成されないセグメント電極２の平均抵抗負荷を「１」とした場合における「１．５」以下の抵抗負荷となるようにして形成されている。
【００２３】
このように、配列端部の複数本のセグメント電極２の支流を引き廻し、ダミー電極３として形成する配線パターンとすることで、従来においては端部に配列されたセグメント電極にのみかかっていた抵抗負荷を複数本のセグメント電極２に分散させることができる。
【００２４】
よって、表示パネル１の端部の１本のラインの表示品位が他のラインの表示品位に比べて著しく劣化し、目立ってしまう不具合を回避することができる。特に、本実施形態のように、前記ダミー電極３が形成されたセグメント電極の抵抗負荷が、ダミー電極３が形成されないセグメント電極２の平均抵抗負荷を「１」とした場合における「１．５」以下となるようにして前記ダミー電極の配線パターンを形成することにより、表示部の明度差が、ダミー電極３が形成されたセグメント電極２と、ダミー電極３が形成されないセグメント電極２との明度差、すなわち、表示品位の差を通常の使用状態に於いては視認されない程度に抑え、良好な表示品位を得ることができる。
【００２５】
なお、本発明は、前述した実施の形態に限定されるものではなく、必要に応じて種々の変更が可能である。
【００２６】
例えば、前記ダミー電極の形状や、ダミー電極が形成されるセグメント電極の本数は前述の実施形態に示す態様に限らない。
【図面の簡単な説明】
【００２７】
【図１】（１）は本発明の表示パネルの一端部（左側）に位置するセグメント電極の側方外部のうちコモン電極と対向しない部位の非表示部に形成されたダミー電極の配線パターンの模式的概略平面図、（２）は本発明の表示パネルの他端部（右側）に位置するセグメント電極の側方外部のうちコモン電極と対向しない非表示部に形成されたダミー電極の配線パターンの模式的概略平面図
【符号の説明】
【００２８】
１  表示パネル
２  セグメント電極
３  ダミー電極
【図１】
2007298726.tif 000003